(57)【要約】【課題】  特殊なジャックを使用する必要がなく、また、信号ケーブルの接続だけではＳ映像信号入力端子側への切り換えを行うことのない映像信号入力切換回路を提供する。【解決手段】  映像信号入力切換回路は、Ｓ映像信号入力端子１００から入力された輝度信号Ｙ１の信号レベルが所定の基準電圧Ｖｒｅｆ以上であることを検出したときに検出信号を出力する検出回路１と、Ｓ映像信号入力端子１００から入力される映像信号と、コンポジット映像信号入力端子２００から入力される映像信号とを、検出信号により切り換えて出力する半導体スイッチ２と、を備える。半導体スイッチ２は、検出回路１から検出信号が出力されたときは、Ｓ映像信号入力端子１００から入力される映像信号を出力する。【選択図】  図１
2007325006.tif 000002
【特許請求の範囲】
【請求項１】
映像機器で処理する映像信号を、Ｓ映像信号入力端子から入力される映像信号とするか、コンポジット映像信号入力端子から入力される映像信号とするかを切り換える映像信号入力切換回路であって、
前記Ｓ映像信号入力端子から入力される映像信号の信号レベルが所定の値以上であることを検出したときに検出信号を出力する検出回路と、
前記Ｓ映像信号入力端子から入力される映像信号と、前記コンポジット映像信号入力端子から入力される映像信号とから、前記検出回路から前記検出信号が出力されたときは、前記Ｓ映像信号入力端子から入力される映像信号を選択して出力する半導体スイッチと
を備えることを特徴とする映像信号入力切換回路。
【請求項２】
前記検出回路は、
前記映像信号を検波し、検波直流電圧を出力する検波部と、
前記検波直流電圧を所定の基準電圧と比較し、前記検波直流電圧が前記基準電圧以上であるときは前記検出信号を出力する比較部と
を有することを特徴とする請求項１に記載の映像信号入力切換回路。
【請求項３】
前記検出回路へ入力される前記映像信号が、輝度信号であることを特徴とする請求項１または２に記載の映像信号入力切換回路。
【請求項４】
前記検出回路へ入力される前記映像信号が、色信号であることを特徴とする請求項１または２に記載の映像信号入力切換回路。
【請求項５】
前記検出回路および前記半導体スイッチを１つの集積回路に搭載したことを特徴とする請求項１または２に記載の映像信号入力切換回路。
【発明の詳細な説明】
【技術分野】
【０００１】
本発明は、映像信号入力切換回路に関し、特にＳ映像信号入力端子とコンポジット映像信号入力端子とを備える映像機器における映像信号入力切換回路に関する。
【背景技術】
【０００２】
映像信号入力用の１系統の端子群が、Ｓ映像信号入力端子とコンポジット映像信号入力端子とから構成される映像機器においては、処理対象の映像信号を、Ｓ映像信号入力端子から入力される映像信号とするか、コンポジット映像信号入力端子から入力される映像信号とするかの切り換えを行う。このとき、両方の映像信号入力端子に映像信号が入力されている場合は、Ｓ映像信号入力端子から入力される映像信号を選択するようにする。
【０００３】
そこで、従来、Ｓ映像信号入力端子に信号ケーブルが接続されたことを検出したら、Ｓ映像信号入力端子から入力される映像信号を自動的に選択するようにする、映像信号入力の切り換えが行われている。そのために、例えば、Ｓ映像信号入力端子のジャックの外周部のアース端子を２分割し、その片側を接地し、もう一方の片側をプルアップしておき、挿入されたプラグでこの２分割されたアース端子を短絡させることで、Ｓ映像信号入力端子に信号ケーブルが接続されたことを検出する、Ｓ映像端子検出回路が提案されている（特許文献１参照。）。
【０００４】
しかし、上述の方法では、Ｓ映像信号入力端子のジャックに、外周部のアース端子が２分割された特殊なジャックを使用する必要がある。このようなジャックは、外周部のアース端子が分割されていない標準的なジャックに比べて、価格が高く、それを使用する映像機器の部品コストが上昇するという問題があった。
【０００５】
また、上述のような方法では、映像信号出力機器などへ接続されてなく映像信号の伝送が行われていない信号ケーブルであっても、その信号ケーブルがＳ映像信号入力端子へ接続されただけで、Ｓ映像信号入力端子側への切り換えが行われる。その結果、例えコンポジット映像信号入力端子へは映像信号が入力されていても、その映像信号が映像機器に入力されないという問題もあった。
【特許文献１】特開平１０−３２２７０７号公報  （第２ページ、図１）
【発明の開示】
【発明が解決しようとする課題】
【０００６】
そこで、本発明の目的は、特殊なジャックを使用する必要がなく、また、信号ケーブルの接続だけではＳ映像信号入力端子側への切り換えを行うことのない映像信号入力切換回路を提供することにある。
【課題を解決するための手段】
【０００７】
本発明の一態様によれば、映像機器で処理する映像信号を、Ｓ映像信号入力端子から入力される映像信号とするか、コンポジット映像信号入力端子から入力される映像信号とするかを切り換える映像信号入力切換回路であって、前記Ｓ映像信号入力端子から入力される映像信号の信号レベルが所定の値以上であることを検出したときに検出信号を出力する検出回路と、前記Ｓ映像信号入力端子から入力される映像信号と、前記コンポジット映像信号入力端子から入力される映像信号とから、前記検出回路から前記検出信号が出力されたときは、前記Ｓ映像信号入力端子から入力される映像信号を選択して出力する半導体スイッチとを備えることを特徴とする映像信号入力切換回路が提供される。
【発明の効果】
【０００８】
本発明によれば、Ｓ映像信号入力端子へ入力される映像信号のレベルにもとづいて映像信号入力の切り換えを行うので、Ｓ映像信号入力端子に特殊なジャックを使用する必要がなく、また、Ｓ映像信号入力端子への信号ケーブルの接続だけで映像信号入力の切り換えが行われることを防止することができる。
【発明を実施するための最良の形態】
【０００９】
以下、本発明の実施例を図面を参照して説明する。
【実施例１】
【００１０】
図１は、本発明の実施例１に係る映像信号入力切換回路の構成の例を示す回路図である。
【００１１】
本実施例の映像信号入力切換回路は、映像信号入力用の１系統の端子群が、Ｓ映像信号入力端子１００と、コンポジット映像信号入力端子２００とから構成される映像機器において、処理対象の映像信号を、Ｓ映像信号入力端子１００から入力される映像信号とするか、コンポジット映像信号入力端子２００から入力される映像信号とするかの切り換えを行う。
【００１２】
ここで、Ｓ映像信号入力端子１００からは、映像信号として、輝度信号Ｙ１と色信号Ｃ１が、個々に入力される。
【００１３】
一方、コンポジット映像信号入力端子２００からは、輝度信号Ｙ１と色信号Ｃが複合されたコンポジット映像信号が入力される。このコンポジット映像信号は、ＹＣ分離回路３００により、輝度信号Ｙ２と色信号Ｃ２に分離される。
【００１４】
本実施例の映像信号入力切換回路は、Ｓ映像信号入力端子１００から入力された輝度信号Ｙ１の信号レベルが所定の基準電圧Ｖｒｅｆ以上であることを検出したときに検出信号を出力する検出回路１と、Ｓ映像信号入力端子１００から入力される映像信号と、コンポジット映像信号入力端子２００から入力される映像信号とを、検出信号により切り換えて出力する半導体スイッチ２と、を備える。
【００１５】
検出回路１は、輝度信号Ｙ１を検波し、その信号レベルを積分した直流電圧を出力する検波部１１と、検波部１１から出力された直流電圧を基準電圧Ｖｒｅｆと比較し、検波部１１から出力された直流電圧が基準電圧Ｖｒｅｆ以上のときは‘１’、基準電圧Ｖｒｅｆ未満のときは‘０’、となる検出信号を出力する比較部１２と、を有する。
【００１６】
このうち、検波部１１は、輝度信号Ｙ１から交流成分のみを抽出するキャパシタＣ１と、キャパシタＣ１で抽出された交流成分を正方向へ整流するダイオードＤ１およびＤ２と、ダイオードＤ１およびＤ２で整流された電流で充電されるキャパシタＣ２と、を有する。なお、キャパシタＣ２には、放電時の放電加速用に、抵抗Ｒ２が並列に接続されている。
【００１７】
半導体スイッチ２は、輝度信号Ｙ１と輝度信号Ｙ２とが入力され、検出信号による切り換えにより、いずれかの入力を輝度信号Ｙ１として出力する半導体スイッチＳＷ１と、色信号Ｃ１と色信号Ｃ２とが入力され、検出信号による切り換えにより、いずれかの入力を色信号Ｃとして出力する半導体スイッチＳＷ２と、を有する。
【００１８】
図２に、検出回路１の動作波形図を示す。
【００１９】
Ｓ映像信号入力端子１００からの映像信号の入力が開始されると、検波部１１へは、輝度信号Ｙ１が入力されるようになる。入力された輝度信号Ｙ１は、検波部１１で検波され、検波部１１から、検波直流電圧が出力される。
【００２０】
検波部１１から出力された検波直流電圧は、比較部１２により、基準電圧Ｖｒｅｆと比較される。検波部１１から出力された検波直流電圧が基準電圧Ｖｒｅｆ以上になると、比較部１２は、‘１’レベルの検出信号を出力する。
【００２１】
次に、図３を用いて、半導体スイッチ２の動作を説明する。
【００２２】
図３（ａ）は、検出回路１から出力された検出信号が‘１’のときの、半導体スイッチ２の入力信号選択状態を示す。
【００２３】
検出信号が‘１’のとき、半導体スイッチＳＷ１は、Ｓ映像信号入力端子１００から入力される輝度信号Ｙ１を選択し、半導体スイッチＳＷ２は、Ｓ映像信号入力端子１００から入力される色信号Ｃ１を選択する。
【００２４】
これに対して、図３（ｂ）は、検出回路１から出力された検出信号が‘０’のときの、半導体スイッチ２の入力信号選択状態を示す。
【００２５】
検出信号が‘０’のとき、半導体スイッチＳＷ１は、コンポジット映像信号入力端子２００から入力されてＹＣ分離回路３００で分離された輝度信号Ｙ２を選択し、半導体スイッチＳＷ２は、コンポジット映像信号入力端子２００から入力されてＹＣ分離回路３００で分離された色信号Ｃ２を選択する。
【００２６】
このように、半導体スイッチ２は、Ｓ映像信号入力端子１００から映像信号が入力されて検出回路１の出力の検波信号が‘１’になったときにＳ映像信号入力端子１００から入力される映像信号を選択し、それ以外のときはコンポジット映像信号入力端子２００から入力される映像信号を選択するよう、映像信号入力を切り換える。
【００２７】
図４は、本実施例の映像信号入力切換回路の別の構成の例を示す回路図である。
【００２８】
図４に示す回路が図１に示した回路と異なる点は、検出回路１に入力する信号を輝度信号Ｙ１の代わりに色信号Ｃ１とした点である。図４における検出回路１および半導体スイッチ２の構成は図１に示した回路と同じであるので、ここではその説明を省略する。
【００２９】
図５に、図４に示した回路における検出回路１の動作波形図を示す。
【００３０】
Ｓ映像信号入力端子１００からの映像信号の入力が開始されると、検波部１１へは、色信号Ｃ１が入力されるようになる。入力された色信号Ｃ１は、検波部１１で検波され、検波部１１から、検波直流電圧が出力される。
【００３１】
検波部１１から出力された検波直流電圧は、比較部１２により、基準電圧Ｖｒｅｆと比較される。検波部１１から出力された検波直流電圧が基準電圧Ｖｒｅｆ以上になると、比較部１２は、‘１’レベルの検出信号を出力する。
【００３２】
従って、図４に示した回路においても、検出回路１の出力の検波信号による半導体スイッチ２の切り換えを行うことにより、Ｓ映像信号入力端子１００から映像信号が入力されて検出回路１の出力の検波信号が‘１’になったときにＳ映像信号入力端子１００から入力される映像信号を選択し、それ以外のときはコンポジット映像信号入力端子２００から入力される映像信号を選択するよう、映像信号入力の切り換えを行うことができる。
【００３３】
このような本実施例によれば、Ｓ映像信号入力端子へ入力される映像信号のレベルにもとづいて映像信号入力の切り換えを行うので、Ｓ映像信号入力端子に特殊なジャックを使用しなくても、映像信号入力の切り換えを行うことができる。
【００３４】
また、Ｓ映像信号入力端子へ信号ケーブルが接続されても映像信号の入力がなければ、Ｓ映像信号入力端子側への映像信号入力の切り換えが行われないので、このとき、コンポジット映像信号入力端子から入力されている映像信号を、映像機器への映像信号入力として入力することができる。
【実施例２】
【００３５】
本実施例は、実施例１に示した映像信号入力切換回路を１つの集積回路に搭載した例を示すものである。
【００３６】
本実施例の集積回路５０には、実施例１に示した検出回路１および半導体スイッチ２が搭載されている。
【００３７】
この集積回路５０へは、Ｓ映像信号入力端子１００からの映像信号、およびコンポジット映像信号入力端子２００から入力されてＹＣ分離回路３００で分離された映像信号が入力され、いずれかの入力が半導体スイッチ２で選択されて、輝度信号Ｙ１および色信号Ｃが出力される。
【００３８】
その入力の切り換えは、検出回路１へ入力されたＳ映像信号入力端子１００からの映像信号の検波直流電圧レベルに応じて行われる。その検波直流電圧が基準電圧以上であれば、Ｓ映像信号入力端子１００から入力された映像信号が選択され、その検波直流電圧が基準電圧未満であれば、コンポジット映像信号入力端子２００から入力された映像信号が選択される。
【００３９】
なお、検出回路１へ入力するＳ映像信号入力端子１００からの映像信号は、輝度信号であってもよいし、色信号であってもよい。
【００４０】
このような本実施例によれば、小規模の集積回路で映像信号入力切換回路を構成できるので実装スペースを小さくでき、映像機器の小型化を図ることができる。
【図面の簡単な説明】
【００４１】
【図１】本発明の実施例１に係る映像信号入力切換回路の構成の例を示す回路図。
【図２】図１に示す検出回路の動作を説明するための波形図。
【図３】本発明の実施例１の半導体スイッチの動作説明図。
【図４】本発明の実施例１に係る映像信号入力切換回路の別の構成の例を示す回路図。
【図５】図４に示す検出回路の動作を説明するための波形図。
【図６】本発明の実施例２に係る集積回路の構成の例を示すブロック図。
【符号の説明】
【００４２】
１  検出回路
２、ＳＷ１、ＳＷ２  半導体スイッチ
１１  検波部
１２  比較部
５０  集積回路
Ｃ１、Ｃ２  キャパシタ
Ｄ１、Ｄ２  ダイオード
Ｒ  抵抗
【図１】
2007325006.tif 000003
【図２】
2007325006.tif 000004
【図３】
2007325006.tif 000005
【図４】
2007325006.tif 000006
【図５】
2007325006.tif 000007
【図６】
2007325006.tif 000008